(57)【要約】  本発明は、電子装置（１０）及び係る電子装置とデータ通信を行う方法に関する。電子装置は、一方で、アンテナと、変調された電磁波を生成する回路とを含むニアフィールド通信（ＮＦＣ）インタフェースと、他方で、ＮＦＣインタフェースにより実行可能な通信アクションに関連するオブジェクトを提示するように構成されたタッチパネル式ディスプレイを含むユーザインタフェースとを組み合わせる。ＮＦＣインタフェースとユーザインタフェースとに接続された制御部は、ＮＦＣインタフェースをトリガして、提示されているオブジェクトがタッチされると同時に、ＮＦＣインタフェースが第２の装置の第２のＮＦＣインタフェースと通信可能な接続状態にあることを検出するステップに応動して、通信アクションを実行するように構成される。【選択図】図１
2009531888.tif 000002
【特許請求の範囲】
【請求項１】
電子装置であって、
アンテナと、変調された電磁波を生成するための回路とを含むニアフィールド通信（ＮＦＣ）インタフェースと、
前記ＮＦＣインタフェースにより実行可能な通信アクションに関連するオブジェクトを提示するように構成されるタッチパネル式ディスプレイを含むユーザインタフェースと、
前記ＮＦＣインタフェースと前記ユーザインタフェースとに接続された制御部であって、前記提示オブジェクトに対する接触と、前記ＮＦＣインタフェースが第２の装置の第２のＮＦＣインタフェースと通信可能な接続状態にあることとが同時に検出されたことに応じて、前記ＮＦＣインタフェースに前記通信アクションを実行させるように構成された制御部と、
を備えることを特徴とする電子装置。
【請求項２】
前記ユーザインタフェースは複数の個別のオブジェクトを提示するように構成され、
前記ＮＦＣインタフェースにより関連する通信アクションを実行するために、前記オブジェクトは前記ディスプレイ上でそれぞれ個別に接触可能であることを特徴とする請求項１に記載の電子装置。
【請求項３】
前記オブジェクトは異なるコマンドを表わすことを特徴とする請求項２に記載の電子装置。
【請求項４】
前記オブジェクトは異なるデータ項目を表わすことを特徴とする請求項２に記載の電子装置。
【請求項５】
同一通信アクションが個々のオブジェクトと関連づけられ、前記制御部は、接触されたオブジェクトと関連するデータ項目について前記通信アクションを実行するように構成されていることを特徴とする請求項４に記載の電子装置。
【請求項６】
前記ＮＦＣインタフェースが前記第２の装置の前記第２のＮＦＣインタフェースと通信可能な接続状態にあることに応じて視覚信号を提供するように構成されたインジケータを、前記ユーザインタフェースが備えることを特徴とする請求項１に記載の電子装置。
【請求項７】
前記ユーザインタフェースは入力キーを含み、
前記入力キーのアクティベートに応じて、前記ユーザインタフェースが前記複数の個別のオブジェクトを前記ディスプレイ上で提供することを特徴とする請求項２に記載の電子装置。
【請求項８】
前記制御部は、前記ＮＦＣインタフェースが前記第２のＮＦＣインタフェースと通信接続を確立したことに応じて、前記ユーザインタフェースに前記複数の個別のオブジェクトを前記ディスプレイ上で提供させるように構成されていることを特徴とする請求項２に記載の電子装置。
【請求項９】
前記オブジェクトのそれぞれがデータ項目に関連し、
前記制御部が、該関連するオブジェクトに対する接触の検知に応じて、データ項目を前記第２の電子装置へ送信するように構成されていることを特徴とする請求項２に記載の電子装置。
【請求項１０】
前記ユーザインタフェースは複数の画像又はアイコンを提示するように構成され、
該画像又はアイコンのそれぞれは、該画像またはアイコンに関連するデータの送信を前記ＮＦＣインタフェースにより実行するために、ディスプレイ上で個々に接触可能であることを特徴とする請求項１に記載の電子装置。
【請求項１１】
前記ユーザインタフェースは複数のコマンドオプションを提示するように構成され、
個々のコマンドオプションは異なるタイプのデータの送信に関連し、
該コマンドオプションのそれぞれは、前記コマンドオプションに関連するデータを前記ＮＦＣインタフェースにより送信するためにディスプレイ上で個々に接触可能である、ことを特徴とする請求項１に記載の電子装置。
【請求項１２】
前記装置は移動電話機であることを特徴とする請求項１に記載の電子装置。
【請求項１３】
前記第２の装置は移動電話機であることを特徴とする請求項１に記載の電子装置。
【請求項１４】
前記第２の装置はＮＦＣタグであることを特徴とする請求項１に記載の電子装置。
【請求項１５】
前記ＮＦＣインタフェースは、電磁波を変調することによってデータ送信を行う変調器を含むことを特徴とする請求項１に記載の電子装置。
【請求項１６】
前記ＮＦＣインタフェースは、前記アンテナに接続され、無線周波数場を形成するための電磁波生成器と、
前記アンテナに接続され、電磁波で変調されたデータを取得するための復調器と、
を含むことを特徴とする請求項１に記載の電子装置。
【請求項１７】
前記アンテナは閉ループコイルを備えることを特徴とする請求項１に記載の電子装置。
【請求項１８】
前記ＮＦＣインタフェースは１３．５６ＭＨｚの周波数帯域において動作するように構成されることを特徴とする請求項１に記載の電子装置。
【請求項１９】
電子装置におけるデータ通信方法であって、
電磁波を変調する回路に接続されたアンテナを有するニアフィールド通信（ＮＦＣ）インタフェースと、タッチパネル式ディスプレイを備えたユーザインタフェースとを含む電子装置を提供する工程と、
前記ＮＦＣインタフェースを第２の装置の第２のＮＦＣインタフェースの通信範囲内に配置する工程と、
前記ＮＦＣインタフェースによって実行可能な通信アクションに関連するオブジェクトをディスプレイ上に提示する工程と、
前記提示されたオブジェクトに対する接触を検知する工程と、
前記提示されたオブジェクトに対する接触と、前記ＮＦＣインタフェースと前記第２のＮＦＣインタフェースとの間での現在の通信接続とが同時に検出された場合に、前記通信アクションを実行する工程と、
を備えることを特徴とする方法。
【請求項２０】
複数の個別のオブジェクトを提示する工程を備え、
関連する通信アクションを前記ＮＦＣインタフェースにより実行するために、前記オブジェクトの各々はディスプレイ上で個々に接触可能であることを特徴とする請求項１に記載の方法。
【請求項２１】
前記オブジェクトは異なるコマンドを表わすことを特徴とする請求項２０に記載の方法。
【請求項２２】
前記オブジェクトは異なるデータ項目を表わすことを特徴とする請求項２０に記載の方法。
【請求項２３】
同一の通信アクションが個々のオブジェクトと関連づけられ、
接触されたオブジェクトが関連するデータ項目に対して前記通信アクションを実行する工程を備える
ことを特徴とする請求項２２に記載の方法。
【請求項２４】
前記ＮＦＣインタフェースが前記第２のＮＦＣインタフェースと通信可能な接続状態にあることを視覚的に示す工程を備える
ことを特徴とする請求項１９に記載の方法。
【請求項２５】
入力キーのアクティベートの検知に応じて、前記複数の個別のオブジェクトをディスプレイ上に提示する工程を備える
ことを特徴とする請求項２０に記載の方法。
【請求項２６】
前記ＮＦＣインタフェースが前記第２のＮＦＣインタフェースと通信接続を確立したことに応じて、前記複数の個別のオブジェクトを前記ディスプレイ上に提示する工程を備える
ことを特徴とする請求項２０に記載の方法。
【請求項２７】
前記オブジェクトのそれぞれがデータ項目に関連し、
前記関連するオブジェクトに対する接触の検知に応じて、データ項目を前記第２の電子装置へ送信する工程を備える
ことを特徴とする請求項２０に記載の方法。
【請求項２８】
異なるタイプのデータの送信に関連するコマンドオプションを複数提示する工程と、
関連するコマンドオプションに対する接触の検出に応じて、前記コマンドオプションに関連するデータを前記ＮＦＣインタフェースによって送信する工程と、
を備えることを特徴とする請求項１９に記載の方法。
【請求項２９】
前記装置は移動電話機であることを特徴とする請求項１９に記載の方法。
【請求項３０】
前記第２の装置は移動電話機であることを特徴とする請求項１９に記載の方法。
【請求項３１】
前記第２の装置はＮＦＣタグであることを特徴とする請求項１９に記載の方法。
【請求項３２】
前記ＮＦＣインタフェースは１３．５６ＭＨｚの周波数帯域において作動することを特徴とする請求項１９に記載の方法。
【発明の詳細な説明】
【技術分野】
【０００１】
本発明は、電子装置、及び電子装置を用いてデータ通信を行う手段に関する。さらに詳細には、本発明は、ニアフィールド通信に関して電子装置を用いてデータを通信するユーザフレンドリな解決策に関する。
【背景技術】
【０００２】
デジタル移動電話は、音声通話及びデータ交換の双方を行うための最も重要な通信方法の１つになっている。また、データ交換という単なる目的のために、無線ローカルエリアネットワーク（ＷＬＡＮ）などにおけるコンピュータ利用に供するためにネットワークプロトコルは進化してきた。
【０００３】
電子装置間での短距離の無線通信用システムがBluetooth（登録商標）という名称で提供されている。Bluetoothは、基本的に無線パーソナルエリアネットワーク技術であり、主として移動通信装置間におけるデジタル音声及びデータの短距離通信を行うためのオープンな規格であり、ポイント・トゥー・ポイント及びマルチポイントアプリケーションをサポートしている。Bluetoothは通常,
１０メートルから出力増大により１００メートルまでの距離で７２０Ｋｂｐｓまでのデータ転送を提供する。Bluetoothは、免許を必要としない２．４ＧＨｚの帯域で壁及び他の非金属の障壁を貫通して送信を行うことができる全方向電波を用いている。
【０００４】
近年、移動通信マーケットにおいてさらに短距離の通信用の新しい技術が発展している。この短距離通信用の新技術は、高周波識別（ＲＦＩＤ）に基づくものであり、一般にニアフィールド通信（ＮＦＣ）と呼ばれている。ＮＦＣは消費者用装置間での直感的リンクとして特徴づけられ、移動電話機、パーソナル・デジタル・アシスタント（ＰＤＡ）、コンピュータ及び高度消費者用電子機器のような電子装置間での短距離通信を高速でかつ簡単な無線接続を介して容易に行うものである。ＮＦＣ技術は、ロイヤル・フィリップス・エレクトロニクス社とソニー株式会社とによって共同開発された技術であり、消費者は、単に２つの装置をすぐそばに近づけることによって、所有権、クレジットカード番号、クーポン、メンバーシップ・メッセージ、画像及びＭＰ３ファイルを含むあらゆる種類の情報を確実にやりとりし、記憶することが可能となる。ＮＦＣは、キャッシュレスによる支払い、チケットの購入、オンラインによる娯楽、及び、アクセス制御のようなコンテンツ及びサービスへのアクセスを行うための安全なスマートキーとして機能することができ、さらに、Bluetooth又はＷｉ−Ｆｉのような別のプロトコルの下で無線接続を自動的に構成し、開始するためにＮＦＣを用いることもできる。これによって装置はさらに長距離の通信を行ったり、さらに高いレートでデータ転送を行ったりすることが可能となる。
【０００５】
典型的には、ＮＦＣは数センチメートルにわたる非接触近接インタラクションを提供するものである。装置がその近傍装置とのみと接続できる場合、このインタラクションによる混乱の発生が少なくなるため、識別という問題が単純化されることになる。いくつかのＮＦＣの試行が現在グローバルに行われている。２００５年１２月以来、主要なＮＦＣの試行が、ジョージア州アトランタのフィリップス・アリーナ・スタジアムにおいて進行中であり、スポーツファンは場内売り場や衣料ショップで商品を簡単に購入することができる。さらにスポーツファンは、着信音、壁紙、スクリーンセーバ及びクリップのような移動体向けコンテンツにアクセスして、ＮＦＣタグが埋込まれたポスターの正面でＮＦＣを使用できる自分の電話機を手に持って、お気に入りの選手及びアーティストからコンテンツをダウンロードすることができる。
【０００６】
ＮＦＣは、１３．５６ＭＨｚの周波数帯域で稼動し、１０センチメートルまでの距離において読出、書込を行うことが可能である。ＮＦＣは、１０６ｋｂｉｔ／秒と２１２ｋｂｉｔ／秒のデータレートで動作する。但し専用のＮＦＣ装置間ではさらに高い送信スピードの達成が可能であり、最初は４２４ｋｂｉｔ／秒まで、そして、さらに高いビットレートで動作する可能性もある。ＮＦＣ装置はアクティブモード又はパッシブモードでの動作が可能なため、上記技術によって非接触型スマートカードワールドとの一意のリンクが提供される。というのは、スマートカードワールドは、ＩＳＯ１４４４３（すなわち、フィリップスＭＩＦＡＲＥ（登録商標）技術）に基づいて高帯域で確立されている非接触型スマートカードのインフラ構造と互換性があり、さらに、公共輸送での電子チケット用として、また、支払い用アプリケーションとして使用されるソニーのフェリカ（FeliCa）（登録商標）カードと互換性があるからである。上記技術によって、移動通信装置は、電力を節減し、バッテリ寿命を延ばすパッシブモードで通信を行うことが可能となる。広範に適合される非接触型インフラ構造になるようにターゲットを絞って、ＮＦＣは、ＩＳＯ（１８０９２）、ＥＣＭＡ（３４０）及びＥＴＳＩのようなグローバルに承認されている標準化機構に従って予め標準化される。単一のＲＦ帯域を共有する装置の場合にはよくあることであるが、通信は半二重になる。（送信する相手側装置を検出できない場合にのみ、搬送波でまず聴取を行い、次いで、信号送信を開始しなければならないという）「通話前聴取」ポリシが装置により実現される。さらに、ＮＦＣプロトコルは通信のイニシエータとターゲットとを区別する。いずれの装置がイニシエータや、ターゲット装置になってもよい。イニシエータとは、名称から判断して、データの交換を開始し、制御する装置である。ターゲットとはイニシエータからの要求に応答する装置である。ＮＦＣプロトコルはまた２つの動作モード、すなわちアクティブモードとパッシブモードとを区別する。すべての装置は両方の通信モードをサポートしている。上記区別は以下のようになる：
アクティブな通信モードにおいて、双方の装置はデータを運ぶために自身のＲＦ磁場をそれぞれ生成する。
【０００７】
パッシブな通信モードにおいて、相手側装置が負荷変調を用いてデータを転送している間、ただ１つの装置がＲＦ磁場を生成する。プロトコルは、イニシエータがＲＦ磁場生成を行う装置である旨を規定している。
【発明の開示】
【発明が解決しようとする課題】
【０００８】
今日の多くの電子装置がいくつかの異なる方法で相手側装置とデータ交換を行う能力を備えている。例えば、移動電話機は、典型的には、音声電話用及びコンテンツサーバからのデータのダウンロード用又はストリーミング用のＷＣＤＭＡネットワークのような無線通信ネットワークと通信を行うように構成される。短距離の通信を可能にするBluetoothチップが含まれている場合も多い。ＮＦＣ技術によって、同じ電子装置を用いるさらに別の通信手段が提供される。たとえこの異なる通信技術が相互の補足を意図するものであるとしても、技術的熟練度が限られている平均的ユーザにとっては電子装置の適切な操作は困難であると考えられる。
【課題を解決するための手段】
【０００９】
したがって、データを通信するための簡単でかつ直感的なソリューションを電子装置へ／から提供することが本発明の目的である。本発明の第１の態様によれば、上記の目的は、
アンテナと、変調された電磁波を生成するための回路とを含むニアフィールド通信（ＮＦＣ）インタフェースと、
前記ＮＦＣインタフェースにより実行可能な通信アクションに関連するオブジェクトを提示するように構成されるタッチパネル式ディスプレイを含むユーザインタフェースと、
前記ＮＦＣインタフェースと前記ユーザインタフェースとに接続された制御部であって、前記提示オブジェクトに対する接触と、前記ＮＦＣインタフェースが第２の装置の第２のＮＦＣインタフェースと通信可能な接続状態にあることとが同時に検出されたことに応じて、前記ＮＦＣインタフェースに前記通信アクションを実行させるように構成された制御部と、を備える電子装置によって実現される。
【００１０】
１つの実施形態では、ユーザインタフェースは複数の個別のオブジェクトを提示するように構成され、ＮＦＣインタフェースにより関連する通信アクションを実行するために、前記オブジェクトは前記ディスプレイ上でそれぞれ個別に接触可能である。
【００１１】
１つの実施形態ではオブジェクトは異なるコマンドを表わす。
【００１２】
１つの実施形態ではオブジェクトは異なるデータ項目を表わす。
【００１３】
１つの実施形態では、同一通信アクションが個々のオブジェクトと関連づけられ、前記制御部は、接触されたオブジェクトと関連するデータ項目について前記通信アクションを実行するように構成されている。
【００１４】
１つの実施形態では、前記ＮＦＣインタフェースが前記第２の装置の前記第２のＮＦＣインタフェースと通信可能な接続状態にあることに応じて視覚信号を提供するように構成されたインジケータを、前記ユーザインタフェースが備える。
【００１５】
１つの実施形態では、ユーザインタフェースは入力キーを含み、入力キーのアクティベートに応じて、前記ユーザインタフェースが前記複数の個別のオブジェクトを前記ディスプレイ上で提供する。
【００１６】
１つの実施形態では、制御部は、ＮＦＣインタフェースが前記第２のＮＦＣインタフェースと通信接続を確立したことに応じて、前記ユーザインタフェースに前記複数の個別のオブジェクトを前記ディスプレイ上で提供させるように構成されている。
【００１７】
１つの実施形態では、オブジェクトのそれぞれがデータ項目に関連し、制御部が、該関連するオブジェクトに対する接触の検知に応じて、データ項目を前記第２の電子装置へ送信するように構成されている。
【００１８】
１つの実施形態では、ユーザインタフェースは複数の画像又はアイコンを提示するように構成され、該画像又はアイコンのそれぞれは、該画像またはアイコンに関連するデータの送信を前記ＮＦＣインタフェースにより実行するために、ディスプレイ上で個々に接触可能である。
【００１９】
１つの実施形態では、ユーザインタフェースは複数のコマンドオプションを提示するように構成され、個々のコマンドオプションは異なるタイプのデータの送信に関連し、該コマンドオプションのそれぞれは、前記コマンドオプションに関連するデータを前記ＮＦＣインタフェースにより送信するためにディスプレイ上で個々に接触可能である。
【００２０】
１つの実施形態では装置は移動電話機である。
【００２１】
１つの実施形態では第２の装置は移動電話機である。
【００２２】
１つの実施形態では第２の装置はＮＦＣタグである。
【００２３】
１つの実施形態では、ＮＦＣインタフェースは、電磁波を変調することによってデータ送信を行う変調器を含む。
【００２４】
１つの実施形態では、ＮＦＣインタフェースは、アンテナに接続され、無線周波数場を形成するための電磁波生成器と、アンテナに接続され、電磁波で変調されたデータを取得するための復調器とを含む。
【００２５】
１つの実施形態ではアンテナは閉ループコイルを備える。
【００２６】
１つの実施形態では、ＮＦＣインタフェースは１３．５６ＭＨｚの周波数帯域において動作するように構成される。
【００２７】
本発明の第２の態様によれば、上記の目的は、
電磁波を変調する回路に接続されたアンテナを有するニアフィールド通信（ＮＦＣ）インタフェースと、タッチパネル式ディスプレイを備えたユーザインタフェースとを含む電子装置を提供する工程と、
前記ＮＦＣインタフェースを第２の装置の第２のＮＦＣインタフェースの通信範囲内に配置する工程と、
前記ＮＦＣインタフェースによって実行可能な通信アクションに関連するオブジェクトをディスプレイ上に提示する工程と、
前記提示されたオブジェクトに対する接触を検知する工程と、
前記提示されたオブジェクトに対する接触と、前記ＮＦＣインタフェースと前記第２のＮＦＣインタフェースとの間での現在の通信接続とが同時に検出された場合に、前記通信アクションを実行する工程と、を備える電子装置におけるデータ通信方法によって実現される。
【００２８】
１つの実施形態では、本方法は、複数の個別のオブジェクトを提示する工程を備え、関連する通信アクションを前記ＮＦＣインタフェースにより実行するために、前記オブジェクトの各々はディスプレイ上で個々に接触可能である。
【００２９】
１つの実施形態ではオブジェクトは異なるコマンドを表わす。
【００３０】
１つの実施形態ではオブジェクトは異なるデータ項目を表わす。
【００３１】
１つの実施形態では、同一の通信アクションが個々のオブジェクトと関連づけられ、接触されたオブジェクトが関連するデータ項目に対して前記通信アクションを実行する工程を備える。
【００３２】
１つの実施形態では、本方法は、ＮＦＣインタフェースが第２のＮＦＣインタフェースと通信可能な接続状態にあることを視覚的に示す工程を備える。
【００３３】
１つの実施形態では、本方法は、入力キーのアクティベートの検知に応じて、前記複数の個別のオブジェクトをディスプレイ上に提示する工程を備える。
【００３４】
１つの実施形態では、本方法は、ＮＦＣインタフェースが前記第２のＮＦＣインタフェースと通信接続を確立したことに応じて、前記複数の個別のオブジェクトを前記ディスプレイ上に提示する工程を備える。
【００３５】
１つの実施形態では、オブジェクトのそれぞれがデータ項目に関連し、
本方法は、関連するオブジェクトに対する接触の検知に応じて、データ項目を前記第２の電子装置へ送信する工程を備える。
【００３６】
１つの実施形態では、本方法は、
異なるタイプのデータの送信に関連するコマンドオプションを複数提示する工程と、
関連するコマンドオプションに対する接触の検出に応じて、前記コマンドオプションに関連するデータを前記ＮＦＣインタフェースによって送信する工程と、を備える。
【００３７】
１つの実施形態では装置は移動電話機である。
【００３８】
１つの実施形態では第２の装置は移動電話機である。
【００３９】
１つの実施形態では第２の装置はＮＦＣタグである。
【００４０】
１つの実施形態では、ＮＦＣインタフェースは１３．５６ＭＨｚの周波数帯域で作動する。
【００４１】
１つの実施形態では、ＮＦＣタグはタグアンテナに接続されたマイクロチップを備える。
【００４２】
前述の実施形態の発明主題を組み合わせることも可能である。
【００４３】
本発明の特徴及び効果は添付図面を参照しながら行う好適な実施形態についての以下の説明からさらに明らかになる。
【発明を実施するための最良の形態】
【００４４】
本発明は、データを送信し、取得するステップを含む、電子装置におけるデータの通信に関する。したがって、電子装置はパーソナルコンピュータ、デジタルカメラ、メディア・プレイヤ、又はＰＤＡなどの形状をとることが可能である。しかし、通信の分野に組み込まれたものとして現在知られている本発明のベストモードとして、主として本発明について本明細書で説明する。したがって、電子装置のことを移動電話機と呼ぶことがある。しかしながら、移動電話機、携帯用ラップトップコンピュータ、ＰＤＡとの間の境界と考えられるものはさらに小さくかつ不明瞭になっていることを付記しておく。というのは、たとえ電子装置の異なるカテゴリにおいて異なる機能に焦点を合わせたものであるはいえ、多くの電子装置には、対応する機能が含まれているからである。さらに、「を備えている（comprising）」又は「を備える（comprises）」という用語は、本願で用いられる場合、及び、特徴、要素、又はステップを含むものとして示される添付の特許請求の範囲においては、明確に記載されたもの以外の他の特徴、要素、又はステップの存在を排除するものではないことに注意すべきである。
【００４５】
添付図面を参照しながら例示の実施形態について以下説明する。
【００４６】
図１は移動電話機の形の一対の電子装置１０、３０を概略的に示す図であり、左側にあるのが電子装置１０である。移動電話機１０の細部自体は本発明にとって重要なものではないが、明瞭さを旨として、電話機１０が、端末のその他の構成要素を直接的にあるいは間接的に支持する、シャーシ及びカバーを含む支持構造１１を備えるものであることを述べておくべきであろう。電話機１０は、キーパッド１２及びタッチパネル式ディスプレイ１３、並びに、マイク１４及びスピーカ１５を備えるユーザインタフェースによってさらに構成される。図１に示されてはいないが、電話機１０は、ＷＣＤＭＡネットワークのような通信ネットワークの基地局と通信接続を行うためのアンテナと、無線送受信電子装置を含む信号トランシーバとをさらに備える。電源は、好適にはバッテリの形で、そして、変圧器を介するコンセントとの接続用ケーブルソケットの形で電話機１０の中に含まれる。電話機１０はまた、関連するメモリ及びソフトウェアを備えたマイクロプロセッサを含むと共に、信号処理及びデータ処理のタスクを電話機において実行するように構成されたコンピュータシステムにより構成される。これらの特徴のすべては、それ自体、通信装置の技術分野において公知のものである。
【００４７】
図３は図１の移動電話機１０を概略的に表すブロック図である。制御部１６は、移動電話機１０内において実行される処理を制御するように構成されるコンピュータシステムのマイクロプロセッサを表わす。ユーザが制御部１６の制御の下で実行される処理を制御し、モニタすることができるように、ユーザインタフェースには、キーパッド１２、ディスプレイ１３、マイク１４及びスピーカ１５が含まれ、制御部１６と通信可能に接続される。例えば画像、ゲーム、音楽、ビデオ等々を表わすデータコードをファイルに記憶するためのデータメモリ１９が制御部１６にも接続される。電子装置が移動電話機である本実施形態では、制御部１６は、無線ネットワークの基地局との無線通信用アンテナなどを含む信号トランシーバ２０にも接続される。
【００４８】
本発明によれば、本願で移動電話機１０の形状で提供される電子装置は、電磁波を用いる、非接触ニアフィールド通信インタフェースをさらに備える。本明細書に記載の実施形態は、上述のニアフィールド通信（ＮＦＣ）技術を利用するものである。ＮＦＣ技術それ自体は、標準化され、関連する文献に記載されている。したがって、ＮＦＣ技術は当業者に公知の技術分野に属するものであるため、本明細書ではこの技術については詳細には記載しない。しかし、ヨーロッパ出願公開公報ＥＰ１４３１９０４Ａ２には、アンテナを用いて電磁波信号を送信し、応答してＮＦＣタグから受信される変調済みの電磁波信号を検出することによって、別のＮＦＣ装置（これはＮＦＣタグであってもよい）とデータの通信を行うようにＮＦＣ装置を構成する方法を含む、ＮＦＣ装置の機能及び構造の双方についての記載があることを述べておくことができる。この理由により、ＥＰ１４３１９０４Ａ２は、引用により本明細書の一部として本願に組み込まれる。
【００４９】
したがって、ニアフィールド通信を実行するために、電話機１０のＮＦＣインタフェースは、電磁波の送受信用として考案されたアンテナ１８を備え、当該アンテナ１８は回路１７に接続されている。回路１７は無線周波数場を形成するための、アンテナに接続された電磁波生成装置と、電磁波を変調することによってデータを送信するための、アンテナ１８に接続された変調器を備える。回路１７はまた、電磁波で変調済みのデータを取得するためのアンテナに接続された復調装置を備える。ＮＦＣインタフェース回路の固有の構造と機能とは、本発明にとって決定的に重要なものではなく、ＮＦＣインタフェースは、前述のＲＦＩＤ、ＭＩＦＡＲＥ又はＦｅＩｉＣａ技術に基づいて構成されるものなどであってよい。アンテナ１８は好適には例示のように閉ループコイルであることが望ましい。ＮＦＣインタフェース用いて、図１と図２に示すように電話機１０の下や電話機１０のそばのようなアンテナ１８の近傍に配置された外部ＮＦＣ装置とインタラクションを行うことが可能である。
【００５０】
本発明は、本願の場合、移動電話機１０として具体化された電子装置のユーザインタフェースと通信インタフェースとを組み合わせる利用に関する。前述したように、現代の移動電話機は多くの異なる通信システムにおいて、インタラクションを行うための通信能力を提供するように装備されている場合が多い。このような通信システムには、ＷＣＤＭＡやＧＳＭネットワークのような無線ネットワークにおける長距離無線通信と、相手側装置との直接短距離通信（ニアフィールド通信用として考案されたおそらくＷＬＡＮ通信）用のBluetoothとが含まれる。様々な通信プロトコルが様々な目的に適合したものであり、また、新たな通信手段も絶えず開発されている。ＮＦＣは、どの２つの装置が通信用として配設されているかが一般に明瞭であるという点で、典型的には０〜２０ｃｍの短距離通信を行う際に有利である。ＮＦＣは身振りによる自然なインタラクションを行うための強力な技術である。しかし、ＮＦＣタグあるいはＮＦＣインタフェースを装備した他の電子装置に接触したり、接近したりしたときに何が生じるかはユーザにとって必ずしも明らかではない。第一に、或る一定のオブジェクトに対して行われ得る多くの異なるアクションが存在する。例えば、画像がディスプレイ１３上に示されているとき、相手側装置のＮＦＣインタフェースに隣接する電話機のＮＦＣインタフェースの配置が、送信又は移動、あるいは一時的表示又はハンドオーバスライドショウの制御を意味するものであるか、などは必ずしも明らかではない。
【００５１】
別の例として、例えば複数の画像などのような、ディスプレイ１３に示される複数の異なるオブジェクトが存在する場合もある。たとえ、送信のような行うべきアクションが入力コマンドにより明らかにされている場合であっても、どの画像を送信すべきかについては依然明白ではない。
【００５２】
本発明によれば、この一般的問題は、タッチパネル式ディスプレイ１３に入力されたコマンドを検出すると同時に、ＮＦＣ通信アクションを実行するトリガとして相手側ＮＦＣ装置との現在のＮＦＣ接続を検出するステップを上記コマンド検出と組み合わせることにより解決される。
【００５３】
図１は、電話機１０が第２のＮＦＣ装置３０と接触して、又は、第２のＮＦＣ装置３０に隣接して配置される、本発明の実施形態に基づくシナリオを示す図である。図面において、第２のＮＦＣ装置３０は移動電話機として例示されているが、ここで注目すべき点として、第２の装置３０が、ＮＦＣインタフェースと、さらにシンプルなＮＦＣタグとを含む任意の種類の電子装置であってもよいということが挙げられる。したがって、第２の電子装置３０のさらなる詳細については記載しない。図１の実施形態は、電話ユーザ１０が画像を第２の装置３０へ送信することを望む共有シナリオに関するものである。複数のオブジェクト１３１〜１３４（この場合、画像）がディスプレイ１３上に示される。例示の実施形態では図示の４つの画像が存在しているが、これよりも多い画像、または少ない画像が存在してもよいことは言うまでもない。これらの画像の表示は、ＮＦＣインタフェース１７、１８が第２の装置３０の存在を検出するステップに応動してアクティブにすることができる。この場合、メモリ１９に記憶された画像の表示は、第２のＮＦＣ装置が検出されたとき実行すべきデフォルトのアクションとしてセットされる。上記とは別に、コマンドはキーパッド１２の入力キーによって、あるいは、タッチパネル式ディスプレイ１３上で電話機１０のユーザによって入力され、メモリ１９のすべての画像又はメモリ１９内の或る一定のフォルダのすべての画像が表示される。最先端の移動電話機では、１以上の画像がディスプレイ１３上に示されるとき、実行可能な複数の異なるアクションが存在する。ソフトキー機能を用いて、画像などを編集したり、画像名をリネームしたり、バックグラウンドとして画像を使用したり、画像を送信したりする等々を行うことができる。しかしながら、本実施形態では、画像の表示と、第２の装置３０との確立された通信リンクの検出とを同時に行うことによって、実行する準備ができている所定の実行可能なアクションと、このアクションを好適に示すディスプレイ１３上でのラベル１３５の表示（すなわち画像の送信）とが描画される。第２の装置３０との確立された通信リンクが検出されている間、ディスプレイ１３上のオブジェクト１３１などに接触することによって、ＮＦＣインタフェースをトリガして、当該オブジェクトに対してコマンドを実行する。すなわち画像１３１を送信するようにする。移動電話機において画像を処理する最新のソリューションでは、電子メール、ＭＭＳ、Bluetooth、ＩＲ等々のような選択可能な様々な通信手段によってメニューがユーザに提示された後、入力信号送信コマンドが実行される。本発明の提示された実施形態によれば、第２のＮＦＣ装置３０が存在する場合、ＮＦＣが自動的に選択されるようにするためには上記ステップは必要ではない。さらに、データの送信又はダウンロードのためにＮＦＣ装置が第２のＮＦＣ装置との通信範囲内に配置されているとき、ＮＦＣは、自動通信タスクの実行時に焦点を合わせて作動するように提案されている。画像のような共有できる多くのデータ項目が存在し、ユーザがこれらオブジェクトのうちの１つ又は数個のオブジェクトの共有のみを望む場合には、この自動通信タスクの実行は好適ではないと考えられる。上記の従来技術の処理手順とは異なり、意図するオブジェクト１３１への接触と同時に、通信接続の検出を行うことは、当該オブジェクトを表すデータが、ＮＦＣを用いて、現在接続されている第２の装置３０へ送信されることを確認する処理として機能する。本発明の好適な実施形態は、図１に示すようにオブジェクトに接触するステップによって、別々に選択可能な複数のオブジェクトの表示を含むものであるが、本発明は唯一の提示されたオブジェクトについても有効である。画像に関連して図１の実施形態を説明したが、この実施形態が、ゲーム、着信音、ビデオクリップ等々のような別の種類のデータ項目についても同様に機能できることは言うまでもない。その場合これらのデータ項目は、好適にはアイコン又はラベルの形のオブジェクトによって表わされることが望ましい。
【００５４】
図２は、ディスプレイ１３が様々なコマンドを表わす複数の異なるオブジェクト２３１〜２３４で充たされる第２の実施形態を示す図である。この場合も、第２のＮＦＣ装置３０が電話機１０と通信接続状態にあることが検出されると、このスクリーンが提示されることをデフォルト設定にすることができる。上記とは別に、電話機１０のユーザが入力キーを用いて入力を行う個別のコマンドによってこのスクリーンの選択を行うことができる。これらの異なるオブジェクトは、ニアフィールド通信で使用される、最も一般的に使用されているコマンドのうちのいくつかのコマンドを好適に表わすものである。一例として、オブジェクト２３１は音楽を表すものであってもよく、「お気に入りの音楽の共有」と記されたラベルを含むようにすることができる。次いで、オブジェクト２３１への接触と同時の、電話機１０のＮＦＣインタフェース間における、第２のＮＦＣ装置３０との現在の通信接続の検出によって、メモリ１９に記憶されている音楽ファイル又は再生リストを、ＮＦＣを用いて、現在接続されている第２の装置３０へ送信するステップがトリガされることになる。第２のオブジェクト２３２は業務用名刺を表すものであってもよく、「業務用名刺の送信」と記されたラベルを含むようにすることができる。次いで、オブジェクト２３２の接触と同時の、電話機１０のＮＦＣインタフェース間における第２のＮＦＣ装置３０との現在の通信接続の検出によって、電話機１０のユーザ用の電子業務用名刺を、ＮＦＣを用いて、現在接続されている第２の装置３０へ送信するステップがトリガされる。共有のスクリーンに提示可能な別の可能なオブジェクトによって、連絡先、画像又は呼出し信号などを共有するようなコマンドを表すことができ、これらのオブジェクトに接触することによって、又はナビゲーションツールを用いることによって、対象カテゴリ内の或る一定の項目を選択できるリストへ導くようにすることが可能となる。次いで、上記連絡先は、ＮＦＣを用いて第２の装置３０へ送信される。しかし、別の実施形態では、提示されたオブジェクトの中に表わされるコマンドはすべて専用コマンドであり、１回の接触によって、新たな選択を行う必要なく実行すべきアクションが一意的に特定され、トリガされることを意味することになる。この場合、ラベル２３５はディスプレイ１３上にコマンドを提示することも可能である。
【００５５】
確立された通信接続が電話機１０と第２の装置３０との間に存在することを示すために、現在の接続状態の目に見える表示を提供するように機能する視覚インジケータを用いるようにしてもよい。このような視覚的表示は、電話機１０（図示せず）上の個別の光ダイオードによって行うか、あるいはディスプレイ１３上での表示によって行うことができる。
【００５６】
タッチパネル式ディスプレイ機能をＮＦＣ通信接続との検出と組み合わせることによって、ＮＦＣ通信の使い易さが改善されることになる。例えばディスプレイ上に目に見える複数の選択可能なコマンドを示すことによって、ＮＦＣインタラクションの不可視性が減少し、それによってユーザは別のＮＦＣ装置とのインタラクションの際に実際に何が生じることになるかを確認することになる。さらに、電話機が、相手側ＮＦＣ装置との通信範囲内に位置している場合よりも偶然によるインタラクションが少なくなる。というのは、通信アクションをトリガするためには、ユーザがスクリーン上でオブジェクトに接触する必要があるからである。これによってニアフィールド通信処理に対する制御が大きくなる。さらに、様々な種類のデータの通信により拡張機能が提供されるだけでなく、より高レベルの情報がユーザから求められる場合にも、本発明はマーケットが求めている使い易さを提供するものとなる。
【００５７】
本発明の原理について以上実施形態例又は処理モードによって説明した。しかし、本発明は上述の特定の実施形態のみに限定されるわけではない。これらの実施形態は、本発明を制限するものではなく、例示的なものであると考えるべきである。そして、当業者は、添付の請求項によって規定される本発明の範囲から逸脱することなく、これら実施形態の変更を行うことが可能であることを理解すべきである。
【図面の簡単な説明】
【００５８】
【図１】第２のＮＦＣ装置の通信可能な範囲内に配置されたＮＦＣ機能を備える電子機器を概略的に例示する。ここで、ＮＦＣにより送信できる一般的なデータタイプの様々なオブジェクトがタッチパネル式ディスプレイ上に提示される。
【図２】第２のＮＦＣ装置の通信可能な範囲内に配置されるＮＦＣ機能を備えた電子機器を概略的に例示する。ここで、ＮＦＣにより実行可能な様々なコマンドを表わす様々なオブジェクトがタッチパネル式ディスプレイ上に提示される。
【図３】本発明の実施形態の機能要素を示すブロック図によって電子機器を概略的に例示する。
【図１】
2009531888.tif 000003
【図２】
2009531888.tif 000004
【図３】
2009531888.tif 000005
【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
電子装置（１０）であって、
アンテナ（１８）と、変調された電磁波を生成するための回路（１７）とを含むニアフィールド通信インタフェース（１７，１８）と、
前記ニアフィールド通信インタフェースにより実行可能な通信アクションに関連するオブジェクト（１３１−１３４、２３１−２３４）を提示するように構成されるタッチパネル式ディスプレイ（１３）を含むユーザインタフェース（１２，１３，１４，１５）と、
前記ニアフィールド通信インタフェース（１７，１８）と前記ユーザインタフェース（１２，１３，１４，１５）とに接続された制御部（１６）であって、前記提示オブジェクト（１３１−１３４、２３１−２３４）に対する接触と、前記ニアフィールド通信インタフェース（１７，１８）が第２の装置（３０）の第２のニアフィールド通信インタフェースと通信可能な接続状態にあることとが同時に検出されたことに応じて、前記ニアフィールド通信インタフェース（１７，１８）に前記通信アクションを実行させるように構成された制御部と、
を備え、
前記オブジェクトはデータ項目を表し、前記通信アクションは、前記第２のニアフィールド通信インタフェースを介した前記第２の装置（３０）との、前記接触されたオブジェクトによって表される前記データ項目の送受信を含む
ことを特徴とする電子装置。
【請求項２】
前記ユーザインタフェースは複数の個別のオブジェクト（１３１−１３４、２３１−２３４）を提示するように構成され、
前記ニアフィールド通信インタフェース（１７，１８）により関連する通信アクションを実行するために、前記オブジェクト（１３１−１３４、２３１−２３４）は前記ディスプレイ（１３）上でそれぞれ個別に接触可能であることを特徴とする請求項１に記載の電子装置（１０）。
【請求項３】
前記オブジェクト（１３１，１３２，１３３，１３４）は異なるデータ項目を表わすことを特徴とする請求項２に記載の電子装置（１０）。
【請求項４】
同一通信アクションが個々のオブジェクト（１３１，１３２，１３３，１３４）と関連づけられ、前記制御部（１６）は、接触されたオブジェクト（１３１，１３２，１３３，１３４）と関連するデータ項目について前記通信アクションを実行するように構成されていることを特徴とする請求項３に記載の電子装置（１０）。
【請求項５】
前記ニアフィールド通信インタフェースが前記第２の装置（３０）の前記第２のニアフィールド通信インタフェースと通信可能な接続状態にあることに応じて視覚信号を提供するように構成されたインジケータを、前記ユーザインタフェースが備えることを特徴とする請求項１に記載の電子装置（１０）。
【請求項６】
前記ユーザインタフェース（１２，１３）は入力キーを含み、
前記入力キーのアクティベートに応じて、前記ユーザインタフェース（１２，１３）が前記複数の個別のオブジェクト（１３１−１３４，２３１−２３４）を前記ディスプレイ（１３）上で提供することを特徴とする請求項２に記載の電子装置（１０）。
【請求項７】
前記制御部（１６）は、前記ニアフィールド通信インタフェースが前記第２のニアフィールド通信インタフェースと通信接続を確立したことに応じて、前記ユーザインタフェースに前記複数の個別のオブジェクト（１３１−１３４，２３１−２３４）を前記ディスプレイ（１３）上で提供させるように構成されていることを特徴とする請求項２に記載の電子装置（１０）。
【請求項８】
前記オブジェクト（１３１，１３２，１３３，１３４）のそれぞれがデータ項目に関連し、
前記制御部（１６）が、該関連するオブジェクト（１３１，１３２，１３３，１３４）に対する接触の検知に応じて、データ項目を前記第２の電子装置（３０）へ送信するように構成されていることを特徴とする請求項２に記載の電子装置（１０）。
【請求項９】
前記ユーザインタフェースは複数の画像又はアイコン（１３１，１３２，１３３，１３４）を提示するように構成され、
該画像又はアイコン（１３１，１３２，１３３，１３４）のそれぞれは、該画像またはアイコン（１３１，１３２，１３３，１３４）に関連するデータの送信を前記ニアフィールド通信インタフェースにより実行するために、ディスプレイ（１３）上で個々に接触可能であることを特徴とする請求項１に記載の電子装置（１０）。
【請求項１０】
前記ユーザインタフェースは複数のコマンドオプション（２３１，２３２，２３３，２３４）を提示するように構成され、
個々のコマンドオプション（２３１，２３２，２３３，２３４）は異なるタイプのデータの送信に関連し、
該コマンドオプション（２３１，２３２，２３３，２３４）のそれぞれは、前記コマンドオプション（２３１，２３２，２３３，２３４）に関連するデータを前記ニアフィールド通信インタフェースにより送信するためにディスプレイ（１３）上で個々に接触可能である、ことを特徴とする請求項１に記載の電子装置（１０）。
【請求項１１】
前記装置（１０）は移動電話機であることを特徴とする請求項１に記載の電子装置（１０）。
【請求項１２】
前記第２の装置（３０）は移動電話機であることを特徴とする請求項１に記載の電子装置（１０）。
【請求項１３】
前記第２の装置（３０）はニアフィールド通信タグであることを特徴とする請求項１に記載の電子装置（１０）。
【請求項１４】
前記ニアフィールド通信インタフェース（１７）は、電磁波を変調することによってデータ送信を行う変調器を含むことを特徴とする請求項１に記載の電子装置（１０）。
【請求項１５】
前記ニアフィールド通信インタフェース（１７）は、
前記アンテナに接続され、無線周波数場を形成するための電磁波生成器と、
前記アンテナに接続され、電磁波で変調されたデータを取得するための復調器と、
を含むことを特徴とする請求項１に記載の電子装置（１０）。
【請求項１６】
前記アンテナ（１８）は閉ループコイルを備えることを特徴とする請求項１に記載の電子装置（１０）。
【請求項１７】
前記ニアフィールド通信インタフェース（１７，１８）は１３．５６ＭＨｚの周波数帯域において動作するように構成されることを特徴とする請求項１に記載の電子装置（１０）。
【請求項１８】
電子装置（１０）におけるデータ通信方法であって、
電磁波を変調する回路（１７）に接続されたアンテナ（１８）を有するニアフィールド通信インタフェース（１７，１８）と、タッチパネル式ディスプレイ（１３）を備えたユーザインタフェース（１２，１３，１４，１５）とを含む電子装置（１０）を提供する工程と、
前記ニアフィールド通信インタフェース（１７，１８）を第２の装置（３０）の第２のニアフィールド通信インタフェースの通信範囲内に配置する工程と、
前記ニアフィールド通信インタフェース（１７，１８）によって実行可能な通信アクションに関連するオブジェクト（１３１−１３４，２３１−２３４）をディスプレイ（１３）上に提示する工程と、
前記提示されたオブジェクト（１３１−１３４，２３１−２３４）に対する接触を検知する工程と、
前記提示されたオブジェクト（１３１−１３４，２３１−２３４）に対する接触と、前記ニアフィールド通信インタフェース（１７，１８）と前記第２のニアフィールド通信インタフェースとの間での現在の通信接続とが同時に検出された場合に、前記通信アクションを実行する工程と、
を備え、
前記オブジェクトはデータ項目を表し、前記通信アクションは、前記第２のニアフィールド通信インタフェースを介した前記第２の装置（３０）との、前記接触されたオブジェクトによって表される前記データ項目の送受信を含む
ことを特徴とする方法。
【請求項１９】
複数の個別のオブジェクト（１３１−１３４，２３１−２３４）を提示する工程を備え、
関連する通信アクションを前記ニアフィールド通信インタフェースにより実行するために、前記オブジェクトの各々はディスプレイ（１３）上で個々に接触可能であることを特徴とする請求項１８に記載の方法。
【請求項２０】
前記オブジェクト（１３１，１３２，１３３，１３４）は異なるデータ項目を表わすことを特徴とする請求項１９に記載の方法。
【請求項２１】
同一の通信アクションが個々のオブジェクト（１３１，１３２，１３３，１３４）と関連づけられ、
接触されたオブジェクト（１３１，１３２，１３３，１３４）が関連するデータ項目に対して前記通信アクションを実行する工程を備える
ことを特徴とする請求項２０に記載の方法。
【請求項２２】
前記ニアフィールド通信インタフェースが前記第２のニアフィールド通信インタフェースと通信可能な接続状態にあることを視覚的に示す工程を備える
ことを特徴とする請求項１８に記載の方法。
【請求項２３】
入力キーのアクティベートの検知に応じて、前記複数の個別のオブジェクト（１３１−１３４，２３１−２３４）をディスプレイ上に提示する工程を備える
ことを特徴とする請求項１９に記載の方法。
【請求項２４】
前記ニアフィールド通信インタフェースが前記第２のニアフィールド通信インタフェースと通信接続を確立したことに応じて、前記複数の個別のオブジェクト（１３１−１３４，２３１−２３４）を前記ディスプレイ上に提示する工程を備える
ことを特徴とする請求項１９に記載の方法。
【請求項２５】
前記オブジェクト（１３１，１３２，１３３，１３４）のそれぞれがデータ項目に関連し、
前記関連するオブジェクト（１３１，１３２，１３３，１３４）に対する接触の検知に応じて、データ項目を前記第２の電子装置（３０）へ送信する工程を備える
ことを特徴とする請求項１９に記載の方法。
【請求項２６】
異なるタイプのデータの送信に関連するコマンドオプション（２３１，２３２，２３３，２３４）を複数提示する工程と、
関連するコマンドオプション（２３１，２３２，２３３，２３４）に対する接触の検出に応じて、前記コマンドオプション（２３１，２３２，２３３，２３４）に関連するデータを前記ニアフィールド通信インタフェースによって送信する工程と、
を備えることを特徴とする請求項１８に記載の方法。
【請求項２７】
前記装置（１０）は移動電話機であることを特徴とする請求項１８に記載の方法。
【請求項２８】
前記第２の装置（３０）は移動電話機であることを特徴とする請求項１８に記載の方法。
【請求項２９】
前記第２の装置（３０）はニアフィールド通信タグであることを特徴とする請求項１８に記載の方法。
【請求項３０】
前記ニアフィールド通信インタフェース（１７，１８）は１３．５６ＭＨｚの周波数帯域において作動することを特徴とする請求項１８に記載の方法。
【国際調査報告】
2009531888.tif 000006
2009531888.tif 000007